(57)【特許請求の範囲】
【請求項１】
既存建物の一部の部屋の柱・壁・床等開口以外は当該既存建物において所要の津波対策強度と気密性を有するものであり、もしくは、既存建物の一部の部屋の柱・壁・床等躯体部分が所要の津波対策強度と気密性を有しない場合に、壁部分は、補強柱、補強梁、補強桟等を配設し、これに金属製の壁パネルを気密に貼設し、床もしくは天井部分は、補強大引き、補強根太を配設し、補強根太に金属製の床板を溶接で気密に貼設して躯体に補強を施して、津波対策強度と気密性を有するようにするものであり、災害非常時において、出入り口や窓等部屋の開口を、強度のある金属製の戸袋を一体形成した強度のある金属製の枠と、この枠内の開口面を閉鎖する強度のある金属製の止水板からなり、止水板は、ハンガーレールに可動吊金物を介して該ハンガーレールの直交方向に変位可能に吊下げた引き戸タイプのもので、強度のある枠と止水板とをパッチン錠にて締め付けて得る引き圧により止水材を介在させて圧接させる閉鎖装置で気密に閉塞することを特徴とするシェルター付建物。
【発明の詳細な説明】
【技術分野】
【０００１】
本発明は、津波発生時においては、極めて短時間で内部に避難することができ、逃げ遅れて津波にまきこまれる危険性を解消することが可能であり、通常時には家屋の一部として利用することができるシェルターを有するシェルター付建物に関するものである。
【背景技術】
【０００２】
2011年3月11日、宮城県牡鹿半島沖を震源として発生した東日本大地震は、日本の観測史上最大のマグニチュード（Mw）9.0を記録し、この地震により、場所によっては波高10ｍ以上、最大遡上高40.5ｍにも上る大津波が発生し、東北地方と関東地方の太平洋沿岸部に壊滅的な被害をもたらした。
【０００３】
この地震による被害者の中には、建物の倒壊など地震そのものに起因して生命をおとす被害者も多いが、この東日本大地震の例に見られるように、地震により発生した津波にのまれて生命を失う被害者も数多い。
【０００４】
東日本大地震で大きな被害をもたらした津波について、専門家は、防潮堤などの対策の限界をはるかに超える大きさだったと分析している。しかし、想定外であろうと、なかろうと、災害から身の安全を守るすべは、必要不可欠である。
【０００５】
現在、津波が発生したときには、自治体が予め指定した高台にある学校や公民館等の避難施設へと避難するのが一般的である。しかし、常に防災を心がけ避難に神経を尖らせることを求められ、避難警告の度に避難場所に避難する…などでは、一生に一度遭遇するかしないかの災害に対してはマンネリ化して現実に災害に遭遇した時に実行力は期待できない。
【０００６】
また、津波の進行速度は非常に早いため、避難施設が海岸から離れている場合、海岸近くの住民の避難が間に合わず、津波にのまれてしまうおそれがあった。ところが、それにも拘らず、我が国においては、海岸近くに津波専用の避難所は殆ど存在していないのが実情である。
【０００７】
しかも、避難施設は、避難施設周辺の多数の住民を避難させる目的で設けられているものではあるが、全ての住民の家屋から近い場所に設置するということは物理的に不可能である。そのため、家屋から避難施設が遠くなって、短時間で避難施設に到達できない住民が発生することは避けられない。特に、少ない住民が比較的広い範囲に点在している過疎地においては、短時間で避難施設に到達できない住民が多く発生し、住民が避難中に津波にのまれる危険性が高くなってしまう。
【０００８】
更に、公共的避難施設は、多人数が避難する避難所であるために大掛かりな設備となって設置コストが嵩む上に、津波が発生しない通常時においては使用されないため、必要ではあるものの無駄が多い施設であることは否めない。
【０００９】
下記特許文献１は、津波発生時においては、極めて短時間で内部に避難することができ、逃げ遅れて津波にまきこまれる危険性を解消することが可能であり、通常時には家屋の一部として利用することができる家屋付設式津波避難用シェルターとして提案されたもので、家屋に対して一体に付設されて該家屋内からの出入りが可能とされてなるシェルターであって、津波来襲時において、家屋からシェルターを分離させるための分離手段と、家屋から分離されたシェルターを密閉する密閉手段とを具備し、家屋から分離された状態において水に浮くことを特徴とするものである。
【特許文献１】特開２００７−２７７９９８号公報
【００１０】
この特許文献１では、津波来襲時において、家屋からシェルターを分離させるための分離手段は、家屋とシェルターとの間に介装された圧縮ばねと、通常時においては圧縮ばねとシェルターとの間に介装されて圧縮ばねの付勢力がシェルターに伝達されるのを防ぎ、津波来襲時においては圧縮ばねとシェルターとの間から外されて圧縮ばねの付勢力がシェルターに伝達されるようにするストッパーとから構成されているとする。
【００１１】
また、シェルターの下方の地面にコンクリート基礎が設けられ、該コンクリート基礎とシェルターの間にはコンクリート基礎に係止されるアンカー部を有するベースが設けられ、該ベース内に前記圧縮ばねが収容されている。
【００１２】
さらに、外部の空気を取り入れるためのパイプを上方に向けて出没可能に備えている。水に浮いた状態で推進するための推進力を付与する推進機構を有する。
【００１３】
すなわち、前記特許文献１は、シェルターは外観形状は船のような形状となって水上を走行するのに適した形状となっており、シェルター内部は、キャンピングカーのように、コンパクトな空間内に生活に必要な多種の用品を機能的に配置していて、キャンピングカーの内部と同様の仕様とすることにより、狭い空間であっても便利で快適な避難生活をおくることができるとする。
【００１４】
下記特許文献２は、迅速かつ容易に避難することができると共に、津波が引くまでの時間の呼吸に必要な空気を確実に確保することが可能で、且つ簡易、安価な津波シェルターとして提案されたものであり、地上に固定され一定の空間を取り囲む気密壁によって構成され、上記気密壁上に、人が上記気密壁により囲まれた空間内に出入り可能な開口部が設けられてなる津波シェルターにおいて、上記空間内に、津波によって内部に浸水しても空気が保たれる空気室が設けられてなる。
【特許文献２】特開平１０−１５９３８８号公報
【００１５】
図２０、図２１に示すように、特許文献２では、津波シェルターＡ１は、側面及び天井部を津波に呑まれても潰れたり破損したりすることのない程度に十分な強度を持たせた鉄製の気密壁１によって一体的に形成されている。上記気密壁１の側面１ａ上には、出入口２（開口部に相当）が設けられており、該出入口２には、人が出入りする際の安全性を考えて断面円形のパイプ状の開口枠３が取り付けられている。
【００１６】
また、上記気密壁１の上記出入口２の対面である側面１ｂ上には、換気窓、及び非常用出口としての窓４が設けられており、窓枠４ａに沿って開閉可能となっている。また、上記出入口２の上端高さと上記窓４の上端高さは同じ高さに揃えられており、またその高さは上記気密壁１の天井部１ｃから十分下がった位置に設定されている。上記気密壁１は、その下端部の周囲を、地面に埋め込まれた基礎コンクリート６上に、津波に呑まれても流されることのないように固定部材５によって確実に固定されている。上記気密壁１の内部空間の内、上記出入口２の上端、及び上記窓４の上端よりも上の空間は、津波によって気密壁１の内部に浸水しても、内部に避難した所定の定員の人が数分間呼吸できるだけの空気が確実に保たれる空気室７を形成している。
【発明の開示】
【発明が解決しようとする課題】
【００１７】
前記特許文献１は、シェルターとしては、家屋に対して一体に付設されて該家屋内からの出入りが可能とされてなるものであって、このようなシェルターを設置する場所を必要とする。また、居住者が家屋とシェルターの間を行き来する際に通行するための通路としての連結空間を必要とする。
【００１８】
さらに、特許文献１では、家屋からシェルターを分離させるための分離手段を設けなければならず、また、家屋から分離されたシェルターを密閉する密閉手段とを具備し、家屋から分離された状態において水に浮くことを特徴とするものであるが、どのようにして水に浮くことができる浮力を有するように設計されているかの具体的説明がなされていない。実現性が乏しいものである。
【００１９】
前記特許文献２は、シェルター専用の施設を新たに場所を確保して、新規に設けるものであり、防空壕と同じく、小型の避難施設を庭等の近辺に設けるものにすぎない。日常において、住居として利用することは考えられていない。
【００２０】
本発明の目的は前記従来例の不都合を解消し、既存建物を利用することで、既存建物の一部の部屋を比較的安価な工事費でシェルターとすることができ、これにより、場所およびコストを削減して、多くの個人でも津波対策強度を自己の家に施すことが可能なシェルター付建物を提供することにある。
【課題を解決するための手段】
【００２１】
前記目的を達成するため、請求項１記載の本発明は、既存建物の一部の部屋の柱・壁・床等開口以外は当該既存建物において所要の津波対策強度と気密性を有するものであり、もしくは、既存建物の一部の部屋の柱・壁・床等躯体部分が所要の津波対策強度と気密性を有しない場合に、壁部分は、補強柱、補強梁、補強桟等を配設し、これに金属製の壁パネルを気密に貼設し、床もしくは天井部分は、補強大引き、補強根太を配設し、補強根太に金属製の床板を溶接で気密に貼設して躯体に補強を施して、津波対策強度と気密性を有するようにするものであり、災害非常時において、出入り口や窓等部屋の開口を、強度のある金属製の戸袋を一体形成した強度のある金属製の枠と、この枠内の開口面を閉鎖する強度のある金属製の止水板からなり、止水板は、ハンガーレールに可動吊金物を介して該ハンガーレールの直交方向に変位可能に吊下げた引き戸タイプのもので、強度のある枠と止水板とをパッチン錠にて締め付けて得る引き圧により止水材を介在させて圧接させる閉鎖装置で気密に閉塞することを要旨とするものである。
【００２２】
請求項１記載の本発明によれば、既存建物の一部の部屋を当該部屋の出入り口や窓等部屋の開口を止水板により閉塞して、強度のある気密なシェルターとすることができ、シェルター内は、津波によって内部に浸水しても空気が保たれる空気室として、津波によって内部に浸水しても、内部に避難した所定の定員の人が数分間呼吸できるだけの空気が確実に保たれるように形成される。従って、津波が引くまでの間に必要な空気をシェルター内に確実に確保することができる。すなわち、瓶のふたをするように、当該部屋の出入り口や窓等部屋の開口を止水板により気密に閉塞して、強度のある気密空間を作り出すものである。
【００２３】
また、簡易かつ迅速に引き圧をかけて、精度の高い気密を得ることができるものとして、パッチン錠を選択したものであり、クレセント錠などとは異なり、しっかりとした止封を得ることができる。
【００２４】
開口はここから壊れ易いものであるが、そこに強度のある枠を施すことで、開口の補強が実現でき、しかも、この強度のある枠に強度のある金属製の戸袋を一体形成することで、より、開口の補強を高めることができる。また、強度のある枠は既存の窓や出入口の外側（若しくは内側）に設ける場合に、戸袋は既存の窓や出入口の空間の一部を占めるように設置することができ、これにより別途戸袋設置のスペースを確保しなくても、本発明の実現が可能となる。なお、既存の窓や出入口の空間の一部は戸袋設置のために常時閉鎖されてしまうこともあるが、日常の使用にはさほど支障を来さない。
【００２５】
補強により壁部分を強度のある、かつ、気密性のものとすることができる。
【００２６】
補強により床もしくは天井部分を強度のある、かつ、気密性のものとすることができる。
【００２７】
引き戸タイプのものでもハンガーレールの直交方向に変位可能にしたので、止水板は強度のある枠に対して引き圧により止水材を介在させて圧接させる閉鎖装置で気密に閉塞することが可能となる。
【発明の効果】
【００２８】
以上述べたように本発明のシェルター付建物は、既存建物を利用することで、既存建物の一部の部屋を比較的安価な工事費でシェルターとすることができ、これにより、場所およびコストを削減して、多くの個人でも津波対策強度を自己の家に施すことが可能なものである。
【発明を実施するための最良の形態】
【００２９】
以下、図面について本発明の実施の形態を詳細に説明する。本発明は、図１、図２に示すように、既存建物１０の一部の部屋をシェルター１１として構成するものである。
【００３０】
既存建物１０は、住居用、オフィス用、その他を問わず、その内部に区画された部屋を有するものであればよく、鉄筋コンクリート（ＲＣ）造、鉄骨鉄筋コンクリート（ＳＲＣ）造、鉄骨（Ｓ）造、木造を問わず、また、階高も平屋の場合から高層の場合のすべてが対象となる。ただし、４０ｍ以上の階層部分を有する大型の高層建物で、津波に耐える強度を有する強度を有するものについては、その上部階自体が津波の避難場所として有効であるので、本発明の対象からは除く。
【００３１】
前記既存建物１０は、耐震構造と非耐震構造に分類され、また、津波に対する必要強度・崩壊状況は下記のようなものを想定して基準とする。
（建築物に対する津波の影響の想定）
・津波そのものの衝撃による崩壊
・水圧・水流による崩壊
・水流による基礎部の崩壊
・水流・水圧による建物の転倒
・浮力による建物の転倒・漂流
・水圧による浸水
・漂流物の衝突による崩壊
【００３２】
前記既存建物１０を下記Ａ〜Ｃの３つの基準に分け、
Ａ  津波に対して建物自体（壁を含む）が崩壊しない。
Ｂ  津波に対して床・天井・壁が崩壊する恐れがある。
Ｃ  津波に対して基礎・柱を含む建物自体が崩壊する恐れがある。
【００３３】
Ｃは本発明の対象外とするが、既存建物１０がＡの場合は、既存建物１０の躯体はそのまま利用できるので、出入り口や窓等部屋の開口の補強のみを行い、この補強は津波圧・浮遊物の衝撃に耐える強度を想定して行う。開口の補強は浸水に対して気密性を有するものとする。
【００３４】
既存建物１０がＢの場合は、シェルター１１として構成する既存建物１０の一部の部屋の躯体に施す補強を行う。かかる躯体に施す補強は、図３〜図５に示すように、壁部分は、補強柱１２、補強間柱１２ａ、補強梁１３、補強桟１４等で構成し、これに鉄、ステンレス、若しくはアルミ合金の金属製の壁パネル１５を気密に貼設する。壁パネル１５は溶接により取付け、もしくは止水材を介在させてボルト止めで締結する。壁パネル１５相互の接合も同様である。
【００３５】
また、床もしくは天井部分は、図６〜図８に示すように、補強大引き１６、補強根太１７を配設し、補強根太１７に鉄、ステンレス、若しくはアルミ合金の金属製の床板１８を溶接で気密に貼設する。
【００３６】
既存建物１０のシェルター１１とする部屋には、開口部としては、戸を有する窓Ａ、出入口Ｂ、窓、雑排水口、下水口、換気口等がある。本発明はこれらの開口部を災害非常時において、気密に閉塞して、当該部屋を気密室として形成できるようにするが、出入口Ｂや窓Ａ等部屋の比較的は大きな開口部は、既存の設備の機能を損なわないようにして、かつ、後述の止水板を収納できる戸袋等を設けるスペースを確保できるので、窓を例に取ると、図９、図１０に示すような、既設の窓１９の外側に設ける引き戸タイプのもので、鉄、ステンレス、若しくはアルミ合金の金属製で強度のある枠２０と、この枠２０内の開口面を閉鎖する止水板２２からなり、枠２０は戸袋２１を一体的に形成した。なお、図示の例は既設の窓１９は引き違い窓の場合であるが、開き戸タイプの窓でもよい。止水板２２も鉄、ステンレス、若しくはアルミ合金の金属製として、強度のあるものとした。
【００３７】
図１８、図１９はこの強度のある枠２０を示すもので、強度のある枠２０は外枠として存在し、内部に内枠２０ａがあり、その面には止水材３０を貼設した。止水材３０はガスケットタイプでもよいが、完全な気密性を発揮できるように、合成ゴム等の無垢の索条もしくは帯条タイプのものが好ましい。
【００３８】
戸袋２１も強度のある枠２０内に配設され、鉄、ステンレス、若しくはアルミ合金の金属製で強度のある面板により形成される。
【００３９】
前記戸袋２１を一体的に形成した枠２０は図示は省略するが、止水材を介在させるなどして、躯体の開口部に気密・水密に取り付けるものである。
【００４０】
図１１〜図１３は前記引き戸タイプの補強窓の詳細を示すもので、強度のある枠２０はその上部辺を吊枠２３として、そこにハンガーレール２４を添わせ、このハンガーレール２４で可動吊金物２５を介して止水板２２を戸袋２１から引出して、横移動可能に吊支する。
【００４１】
可動吊金物２５は、ハンガーレール２４内を滑動または転動するスライダー３４の下に、屈曲または摺動する掛合部として、図示の例では横長４角輪の吊り輪２６を設けた。この吊り輪２６はシャックルタイプで、シャックルピンとしてのネジピン２６ａを有する。なお、吊り輪２６は図示の横長４角輪に限定されるものではなく、三角形や蒲鉾形等でもよく、ネジピン２６ａが吊るものを横スライドさせる支持バーとなればよい。
【００４２】
止水板２２は、図１４、図１５に示すように、鉄、ステンレス、若しくはアルミ合金の金属製の戸枠２７に鉄、ステンレス、若しくはアルミ合金の金属製の面板２８を嵌め込んだもので、戸枠２７は上辺に矩形フックの吊具２９を面板２８の面方向に向けて適宜間隔を存して複数突設した。
【００４３】
前記可動吊金物２５の吊り輪２６は、ハンガーレール２４の幅方向に向くものであり、この吊り輪２６に止水板２２の吊具２９を掛止めることで、止水板２２はハンガーレール２４の直交方向に変位可能に吊下げられる。
【００４４】
前記は可動吊金物２５の一例であるが、図示は省略するが、他の実施形態として、吊り輪２６の代わりの屈曲可能なワイヤーまたはチェーンにより、止水板２２の吊具２９をハンガーレール２４の直交方向に変位可能に吊下げるようにすることもできる。
【００４５】
図１６の例では、止水板２２の下部にはその厚さ分だけ幅のあるガイド溝３２を形成し、これに枠２０から立ち上げたガイド片３３を係合させた。
【００４６】
前記閉鎖装置の第１例としては、キャッチクリップ装置いわゆるパッチン錠３１を利用する。図１７にも示すが、パッチン錠３１は周知のように、受け金３１ａと、掛け金３１ｂを有する操作レバー３１ｃからなり、操作レバー３１ｃは支軸３１ｅで梃子杆として取り付け座３１ｄに軸支され、操作レバー３１ｃを回転させたときに、受け金３１ａに掛止めた掛け金３１を引っ張るものである。
【００４７】
このパッチン錠３１の本体である部取り付け座３１ｄに軸支された操作レバー３１ｃは枠２０の内フレーム２０ｂに設けて室内側から操作可能とし、受け金３１ａは止水板２２に取り付ける。止水板２２に対して、パッチン錠３１は少なくとも４隅に、計４個は設ける。
【００４８】
以上が窓を例であるが、出入口の戸の場合も同様であり、補強戸として、強度のある枠２０と、この枠２０内の開口面を閉鎖する止水板２２からなり、枠２０は戸袋２１を一体的に形成する。前記窓と同様に、ハンガーレール２４を添わせ、このハンガーレール２４で可動吊金物２５を介して止水板２２を戸袋２１から引出して、横移動可能に吊支する。
【００４９】
このようにして、災災害非常時には、止水板２２を戸袋２１から引出し、ハンガーレール２４を移動させ、窓や出入口の開口を止水板２２で閉塞する。
【００５０】
戸袋２１から引出された止水板２２はハンガーレール２４を移動して、開口閉鎖位置にまで来たならば、図１６に示すように、パッチン錠３１により締め付ければ、止水板２２はハンガーレール２４の直交方向に変位し、枠２０の内フレーム２０ｂに貼設した止水材３０を間に介在させて枠２０に押し付けられ、開口を気密（水密）に塞ぐことができる。
【００５１】
なお、既存建物１０シェルター１１として構成する部屋には、窓や出入口以外の例えば、換気口や排水口などの開口がある場合があるが、雑排水・下水口には逆止弁を設けるとか、換気扇等がある換気口については、横にスペースがある場合は前記と同じく引き戸タイプの止水板により閉塞可能とし、スペースが無い場合には補強枠を設けて開戸タイプの止水板により閉塞可能とする。そのいずれにおいても、止水材を介在させ、パッチン錠３１により締め付け可能とする。
【００５２】
このようにして、瓶のふたをするように、当該部屋の出入り口や窓等部屋の開口を止水板により気密に閉塞して、強度のある気密空間を作り出すものである。
【図面の簡単な説明】
【００５３】
【図１】本発明のシェルター付建物の説明図である。
【図２】本発明のシェルター付建物の外観斜視図である。
【図３】本発明のシェルター付建物の補強の前段工程を示す斜視図である。
【図４】本発明のシェルター付建物の補強の一例を示す窓側の斜視図である。
【図５】本発明のシェルター付建物の補強の一例を示す出入口側の斜視図である。
【図６】本発明のシェルター付建物の補強の一例を示す根太部分の斜視図である。
【図７】本発明のシェルター付建物の補強の一例を示す床板部分の斜視図である。
【図８】本発明のシェルター付建物の補強の一例を示す大引き部分の説明図である。
【図９】本発明のシェルター付建物の窓の一例を示す平面図である。
【図１０】本発明のシェルター付建物の窓の他例を示す平面図である。
【図１１】本発明のシェルター付建物の窓の詳細を示す斜視図である。
【図１２】本発明のシェルター付建物の窓に設けるハンガーレールの斜視図である。
【図１３】本発明のシェルター付建物の窓に設けるハンガーレールの斜視図である。
【図１４】本発明のシェルター付建物の窓に設ける止水板の正面図である。
【図１５】本発明のシェルター付建物の窓に設ける止水板の側面図である。
【図１６】本発明のシェルター付建物の窓の１実施形態を示す縦断側面図である。
【図１７】本発明のシェルター付建物で使用するパッチン錠の一例を示す説明図である。
【図１８】本発明のシェルター付建物で使用する強度のある枠の裏面図である。
【図１９】図１８のＡ−Ａ線断面図である。
【図２０】従来例を示す横断平面図である。
【図２１】従来例を示す縦断側面図である。
【符号の説明】
【００５４】
１…気密壁                  １ａ、１ｂ…側面
１ｃ…天井部                ２…出入口
３…開口枠                  ４…窓
４ａ…窓枠                  ５…固定部材
６…基礎コンクリート        ７…空気室
１０…既存建物              １１…シェルター
１２…補強柱                １２ａ…補強間柱
１３…補強梁                １４…補強桟
１５…壁パネル              １６…補強大引き
１７…補強根太              １８…床板
１９…窓                    ２０…枠
２０ａ…内枠                ２０ｂ…内フレーム
２１…戸袋
２２…止水板                ２３…吊枠
２４…ハンガーレール        ２５…可動吊金物
２６…吊り輪                ２６ａ…ネジピン
２７…戸枠                  ２８…面板
２９…吊具                  ３０…止水材
３１…パッチン錠            ３１ａ…受け金
３１ｂ…掛け金              ３１ｃ…操作レバー
３１ｄ…取り付け座          ３１ｅ…支軸
３２…ガイド溝              ３４…スライダー
【図１】
0005714440.tif 000002
【図２】
0005714440.tif 000003
【図３】
0005714440.tif 000004
【図４】
0005714440.tif 000005
【図５】
0005714440.tif 000006
【図６】
0005714440.tif 000007
【図７】
0005714440.tif 000008
【図８】
0005714440.tif 000009
【図９】
0005714440.tif 000010
【図１０】
0005714440.tif 000011
【図１１】
0005714440.tif 000012
【図１２】
0005714440.tif 000013
【図１３】
0005714440.tif 000014
【図１４】
0005714440.tif 000015
【図１５】
0005714440.tif 000016
【図１６】
0005714440.tif 000017
【図１７】
0005714440.tif 000018
【図１８】
0005714440.tif 000019
【図１９】
0005714440.tif 000020
【図２０】
0005714440.tif 000021
【図２１】
0005714440.tif 000022